(57)【要約】【課題】双方からの発信が重複した場合でも通話呼を確立させることが可能な基地局装置を提供する。【解決手段】この基地局装置は、発呼要求（Ｓ５）後に検出されたＰＳ２による発信元および発信先の電話番号と、着信（Ｓ２２）後に検出された固定電話機発信元および着信先の電話番号とが各々比較されて互いに一致した場合、着信拒否をせずにＰＳ２側の発呼処理を一旦切断・解放（Ｓ４０〜Ｓ４６）し、固定電話機からＰＳ２への着呼処理（Ｓ２３〜Ｓ３８）を継続して行なう。したがって、ある電話機から他の電話機への発信と上記他の電話機から上記ある電話機への発信とが重複した場合でも、上記ある電話機と上記他の電話機との間で通話呼を確立させることができる。【選択図】　　　　図４
2004112457.tif 000002
【特許請求の範囲】
【請求項１】
複数の電話機の基地局装置であって、
ある電話機から他の電話機への発信に応答して、前記他の電話機がオフ・フック状態でなければ通話呼を確立させる通話呼確立手段と、
前記ある電話機から前記他の電話機への発信と、前記他の電話機から前記ある電話機への発信とが重複した場合、前記ある電話機から前記他の電話機への発呼処理を一旦切断することにより重複発信を解消する重複発信解消手段とを備える、基地局装置。
【請求項２】
前記重複発信解消手段は、
前記ある電話機による発信元および発信先の電話番号を検出する発信元・発信先番号検出手段と、
前記他の電話機による発信元および着信先の電話番号を検出する発信元・着信先番号検出手段と、
前記発信元・発信先番号検出手段および前記発信元・着信先番号検出手段で検出された各々の電話番号を比較し、前記ある電話機の発信先が前記他の電話機であり、かつ前記他の電話機の着信先が前記ある電話機である場合に重複発信を解消する電話番号比較手段とを含む、請求項１に記載の基地局装置。
【発明の詳細な説明】
【０００１】
【発明の属する技術分野】
この発明は基地局装置に関し、特に、複数の電話機の基地局装置に関する。
【０００２】
【従来の技術】
従来の電話通信システムでは、たとえば、通話中に電波状態の悪化などにより回線接続が絶たれた後、互いに相手との再接続を試みる場合など、ある電話機と他の電話機が同じタイミングで発信しあった場合、互いの発信が重複して通話呼が確立されなかった。
【０００３】
図５は、移動体通信端末（以下、ＰＳと称する）２２からの発呼要求の処理中に、公衆回線網（以下、網と称する）２３からの着呼があった場合における従来の発呼中着呼シーケンス（発着呼接続制御動作）を示す図である。
【０００４】
ステップＳ５１において、ＰＳ２２からＰＨＳ基地局装置２１の無線制御回路２４へ無線チャネル確立要求メッセージが送信されると、ステップＳ５２において、ＰＳ２２と無線制御回路２４との間で無線チャネルが確立され、ステップＳ５３において、無線制御回路２４から全体制御回路２６へ無線チャネル確立表示メッセージが送信される。ステップＳ５４において、ＰＳ２２から無線制御回路２４へ呼設定メッセージが送信されると、ステップＳ５５において無線制御回路２４から全体制御回路２６へ発呼要求メッセージが送信される。ステップＳ５６において、全体制御回路２６から無線制御回路２４へ発呼確認メッセージが返送されると、ステップＳ５７において、無線制御回路２４からＰＳ２２へ呼設定受付メッセージが返送される。
【０００５】
このタイミングで、ＰＨＳ基地局装置２１が網２３からＰＳ２２への着呼を受付けた場合、ステップＳ５８において、網２３から回線Ｉ／Ｆ制御回路２５へ呼設定メッセージが送信され、ステップＳ５９において、回線Ｉ／Ｆ制御回路２５から全体制御回路２６へ着信メッセージが送信される。この場合、全体制御回路２６は、着信先（ＰＳ２２）がオフ・フック（受話器を上げている）状態にあるためビジーであると判断し、ステップＳ６０において、全体制御回路２６から回線Ｉ／Ｆ制御回路２５へ着信拒否メッセージが返送され、ステップＳ６１において、回線Ｉ／Ｆ制御回路２５から網２３へ解放完了メッセージが返送される。
【０００６】
なお、この発明についての従来の技術を、出願人の知得した一般的技術情報に基づいて説明したが、出願人の記憶する範囲において、出願前までに先行技術文献情報として開示すべき情報を出願人は有していない。
【０００７】
【発明が解決しようとする課題】
このように、従来の電話通信システムでは、通話中に不意に回線接続が絶たれた場合などに、双方が通話断直後に再接続を試みると、互いの発信が重複して通話呼が確立されないという問題があった。
【０００８】
それゆえに、この発明の主たる目的は、双方からの発信が重複した場合でも通話呼を確立させることが可能な基地局装置を提供することである。
【０００９】
【課題を解決するための手段】
この発明に係る基地局装置は、複数の電話機の基地局装置であって、ある電話機から他の電話機への発信に応答して、上記他の電話機がオフ・フック状態でなければ通話呼を確立させる通話呼確立手段と、上記ある電話機から上記他の電話機への発信と、上記他の電話機から上記ある電話機への発信とが重複した場合、上記ある電話機から上記他の電話機への発呼処理を一旦切断することにより重複発信を解消する重複発信解消手段とを備えることを特徴とするものである。
【００１０】
好ましくは、重複発信解消手段は、上記ある電話機による発信元および発信先の電話番号を検出する発信元・発信先番号検出手段と、上記他の電話機による発信元および着信先の電話番号を検出する発信元・着信先番号検出手段と、上記発信元・発信先番号検出手段および上記発信元・着信先番号検出手段で検出された各々の電話番号を比較し、上記ある電話機の発信先が上記他の電話機であり、かつ上記他の電話機の着信先が上記ある電話機である場合に重複発信を解消する電話番号比較手段とを含む。
【００１１】
【発明の実施の形態】
図１は、この発明の一実施の形態による電話通信システムの概略構成を示すブロック図である。この電話通信システムでは、ＰＳ２はＰＨＳ基地局装置１および網３を介して固定電話機４に接続される。
【００１２】
ＰＨＳ基地局装置１は、受信アンテナ５、無線送受信回路６、無線制御回路７、回線Ｉ／Ｆ制御回路８、全体制御回路９、発信元・発信先番号検出回路１０、発信元・着信先番号検出回路１１、電話番号比較回路１２を備える。
【００１３】
無線送受信回路６は、アンテナ５を介してＰＳ２と無線信号の送受信を行なう。無線制御回路７は、無線送受信回路６と回線Ｉ／Ｆ制御回路８との間で、発呼や着呼のメッセージ送受信などのＩ／Ｆ処理を行なう。回線Ｉ／Ｆ制御回路８は、無線制御回路７と網３との間で、発呼や着呼のメッセージ送受信などのＩ／Ｆ処理を行なう。発信元・発信先番号検出回路１０は、全体制御回路９に接続され、発呼メッセージに含まれる発信元および発信先の電話番号を検出する。発信元・着信先番号検出回路１１は、全体制御回路９に接続され、着呼メッセージに含まれる発信元および着信先の電話番号を検出する。電話番号比較回路１２は、発信元・発信先番号検出回路１０および発信元・着信先番号検出回路１１で検出された各々の電話番号を比較する。全体制御回路９は、電話番号比較回路１２での比較結果に応じて、無線制御回路７および回線Ｉ／Ｆ制御回路８のそれぞれに発着呼処理の停止・継続・変更を指示する。
【００１４】
次に、この電話通信システムの動作について説明する。図２は、ＰＳ２から固定電話機４への発信制御における発呼シーケンス（発呼接続制御動作）を示す図である。図２において、ＰＳ２を持った通話者がＰＳ２のオフ・フック・スイッチを操作し、通話したい相手の電話番号を入力すると、ステップＳ１において、ＰＳ２からＰＨＳ基地局装置１の無線制御回路７へ無線チャネル確立要求メッセージが送信される。ステップＳ２において、ＰＳ２と無線制御回路７との間で無線チャネルが確立され、ステップＳ３において、無線制御回路７から全体制御回路９へ、無線チャネルが確立されたことを示す無線チャネル確立表示メッセージが送信される。
【００１５】
ステップＳ４において、ＰＳ２から無線制御回路７へ、接続を行なう際に必要な自分の電話番号、相手の電話番号、音声通信かデータ通信かなどの情報を含む呼設定メッセージが送信され、ステップＳ５において、無線制御回路７から全体制御回路９へ発呼要求メッセージが送信される。ステップＳ６において、全体制御回路９から無線制御回路７へ、ステップＳ５による発呼要求に対する発呼確認メッセージが返送され、ステップＳ７において、無線制御回路７からＰＳ２へ、ステップＳ４による呼設定に対する呼設定受付メッセージが返送される。
【００１６】
ステップＳ８において、全体制御回路９から回線Ｉ／Ｆ制御回路８へ、ステップＳ５による発呼要求メッセージが送信され、ステップＳ９において、回線Ｉ／Ｆ制御回路８から網３へ、ステップＳ４で受信された呼設定メッセージが送信される。網３において、受信された呼設定メッセージより呼の受付が正当であると確認されると、ステップＳ１０において、網３からＰＨＳ基地局装置１の回線Ｉ／Ｆ制御回路８へ、網３が呼を処理していることを表示する呼設定受付メッセージが返送される。
【００１７】
図示していないが、網３において、発信先（固定電話機４）呼出が開始されたというメッセージが受信されると、ステップＳ１１において、網３から回線Ｉ／Ｆ制御回路８、全体制御回路９、無線制御回路７を介してＰＳ２へ呼出メッセージが送信され、着信側（固定電話機４）で呼出音が鳴るとともに、発信側（ＰＳ２）でリング・バック・トーン（以下、ＲＢＴと称する）が鳴る。着信側で受話器が取り上げられると、ステップＳ１２において、網３から回線Ｉ／Ｆ制御回路８、全体制御回路９、無線制御回路７を介してＰＳ２へ応答メッセージが送信されるとともに、ステップＳ１３において、回線Ｉ／Ｆ制御回路８から網３へ、回線交換接続完了を示す応答確認メッセージが返送され、ステップＳ１４において、ＰＳ２と固定電話機４との間で通話呼が確立される。
【００１８】
図３は、固定電話機４からＰＳ２への着信制御における着呼シーケンス（着呼接続制御動作）を示す図である。図３において、網３が固定電話機４からＰＳ２への着呼を受付けると、ステップＳ２１において、網３からＰＨＳ基地局装置１の回線Ｉ／Ｆ制御回路８へ呼設定メッセージが送信され、ステップＳ２２において、回線Ｉ／Ｆ制御回路８から全体制御回路９へ着信メッセージが送信された後、ステップＳ２３において、全体制御回路９から無線制御回路７を介してＰＳ２へ着呼メッセージが送信される。
【００１９】
ステップＳ２４において、その着呼メッセージが自端末宛てであることを認識したＰＳ２からＰＨＳ基地局装置１の無線制御回路７へ無線チャネル確立要求メッセージが送信される。ステップＳ２５において、ＰＳ２と無線制御回路７との間で無線チャネルが確立され、ステップＳ２６において、無線制御回路７から全体制御回路９へ、無線チャネルが確立されたことを示す無線チャネル確立表示メッセージが送信される。ステップＳ２７において、ＰＳ２から無線制御回路７を介して全体制御回路９へ、ステップＳ２３による着呼に対する着呼応答メッセージが返送される。
【００２０】
ステップＳ２８において、全体制御回路９から回線Ｉ／Ｆ制御回路８を介して網３へ着呼要求メッセージが送信されると、ステップＳ２９において、網３から回線Ｉ／Ｆ制御回路８を介して全体制御回路９へ、ステップＳ２８による着呼要求に対する着呼応答メッセージが返送される。
【００２１】
ステップＳ３０において、全体制御回路９から無線制御回路７へ着呼通知メッセージが送信され、ステップＳ３１において、無線制御回路７からＰＳ２へ、接続を行なう際に必要な自分の電話番号、相手の電話番号、音声通信かデータ通信かなどの情報を含む呼設定メッセージが送信される。ステップＳ３２において、ＰＳ２から無線制御回路７へ、ステップＳ３１による呼設定に対する呼設定受付メッセージが返送され、ステップＳ３３において、無線制御回路７から全体制御回路９を介して回線Ｉ／Ｆ制御回路８へ着信確認メッセージが返送され、ステップＳ３４において、回線Ｉ／Ｆ制御回路８から網３へ呼設定受付メッセージが返送される。
【００２２】
ステップＳ３５において、ＰＳ２から無線制御回路７、全体制御回路９、回線Ｉ／Ｆ制御回路８を介して網３へ呼出メッセージが送信され、着信側（ＰＳ２）で呼出音が鳴るとともに発信側（固定電話機４）でＲＢＴが鳴る。着信側で受話器を取り上げると、ステップＳ３６において、ＰＳ２から無線制御回路７、全体制御回路９、回線Ｉ／Ｆ制御回路８を介して網３へ応答メッセージが送信され、ステップＳ３７において、網３から回線Ｉ／Ｆ制御回路８、全体制御回路９、無線制御回路７を介してＰＳ２へ、回線交換接続完了を示す応答確認メッセージが返送され、ステップＳ３８において、ＰＳ２と固定電話機４との間で通話呼が確立される。
【００２３】
図４は、ＰＳ２からの発呼要求の処理中に、網３からの着呼があった場合における発呼中着呼シーケンス（発着呼接続制御動作）を示す図である。図４において、ステップＳ１〜Ｓ５の動作は、図２に示した発呼シーケンスにおけるステップＳ１〜Ｓ５の動作と同じである。このとき、ＰＳ２からの発呼メッセージに含まれる発信元および発信先の電話番号が発信元・発信先番号検出回路１０によって検出される。ステップＳ６，Ｓ７の動作は、図２に示した発呼シーケンスにおけるステップＳ６，Ｓ７の動作と同じである。
【００２４】
このタイミングで、ＰＨＳ基地局装置１が固定電話機４からＰＳ２への着呼を受付けると、ステップＳ２１，Ｓ２２が行われる。これは図３に示した着呼シーケンスにおけるステップＳ２１，Ｓ２２の動作と同じである。このとき、網３からの着呼メッセージに含まれる発信元および着信先の電話番号が発信元・着信先番号検出回路１１によって検出される。次に、検出されたＰＳ２による発信元および発信先の電話番号と固定電話機４による発信元および着信先の電話番号とが電話番号比較回路１２によって各々比較され、発信元・発信先番号検出回路１０によって検出されたＰＳ２（発信元）および固定電話機４（発信先）の電話番号と、発信元・着信先番号検出回路１１によって検出されたＰＳ２（着信先）の電話番号および固定電話機４（発信元）の電話番号とが一致した場合、着信拒否をせずに次のステップＳ４０へ進む。
【００２５】
ステップＳ４０において、全体制御回路９から無線制御回路７へ切断要求メッセージが送信され、ステップＳ４１において、無線制御回路７からＰＳ２へ切断メッセージが送信される。これは、ＰＳ２がＰＳ側発呼を起動している間は、ＰＳ２はＰＨＳ基地局装置１からの継続メッセージを待つ状態にあり、着呼を受けることができないので、ＰＳ２側の発呼処理を一旦切断し、新たに網３からの着信をＰＳ２で受けられるようにするためである。
【００２６】
ステップＳ４２においてＰＳ２から無線制御回路７へ解放メッセージが送信され、ステップＳ４３において、無線制御回路７から全体制御回路９へ解放要求メッセージが送信される。ステップＳ４４において、全体制御回路９から無線制御回路７を介してＰＳ２へ解放完了メッセージが返送される。ステップＳ４５において、ステップＳ２で一旦確立された無線チャネルが解放されると、ステップＳ４６において、無線制御回路７から全体制御回路９へ無線チャネル解放通知メッセージが送信される。
【００２７】
以下は、図３に示した着呼シーケンスにおけるステップＳ２３からステップＳ３８までと同じ動作が行なわれ、ＰＳ２と固定電話機４との間で通話呼が確立される。
【００２８】
この実施の形態では、ＰＳ２から固定電話機４への発信と固定電話機４からＰＳ２への発信とが重複した場合は、ＰＳ２側の発呼処理を一旦切断して、固定電話機４からＰＳ２への着呼処理を継続して行なう。したがって、ＰＳ２から固定電話機４への発信と固定電話機４からＰＳ２への発信とが重複した場合でも、ＰＳ２と固定電話機４との間で通話呼を確立させることができる。
【００２９】
また、この実施の形態では、ＰＳ２から固定電話機４への発信と固定電話機４からＰＳ２への発信とが重複した場合、ステップＳ２で確立した無線チャネルの解放を行って、ＰＳ２側の発呼処理を一旦完全に切断しているが、ＰＳ２側の発呼処理を完全に切断しなくても固定電話機４からＰＳ２への着呼処理を行なうことができる場合（そのようなシステムの場合）は、ＰＳ２側の発呼処理を完全に切断することなく、たとえば、無線チャネルの解放を行なうことなく、着呼処理に移行させてもよい。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３１】
【発明の効果】
以上のように、この発明に係る基地局装置では、ある電話機から他の電話機への発信に応答して、上記他の電話機がオフ・フック状態でなければ通話呼を確立させる通話呼確立手段と、上記ある電話機から上記他の電話機への発信と、上記他の電話機から上記ある電話機への発信とが重複した場合、上記ある電話機から上記他の電話機への発呼処理を一旦切断することにより重複発信を解消する重複発信解消手段とが設けられる。したがって、ある電話機から他の電話機への発信と、他の電話機からある電話機への発信とが重複した場合でも、通話呼を確立させることが可能な基地局装置が実現できる。
【００３２】
好ましくは、重複発信解消手段は、上記ある電話機による発信元および発信先の電話番号を検出する発信元・発信先番号検出手段と、上記他の電話機による発信元および着信先の電話番号を検出する発信元・着信先番号検出手段と、上記発信元・発信先番号検出手段および上記発信元・着信先番号検出手段で検出された各々の電話番号を比較し、上記ある電話機の発信先が前記他の電話機であり、かつ上記他の電話機の着信先が前記ある電話機である場合に重複発信を解消する電話番号比較手段とを含む。したがって、ある電話機による発信元および発信先の電話番号と、他の電話機による発信元および着信先の電話番号とを各々比較することによって重複発信を解消し、通話呼を確立させることが可能な基地局装置が実現できる。
【図面の簡単な説明】
【図１】この発明の一実施の形態による基地局装置の概略構成を示すブロック図である。
【図２】図１に示した基地局装置の発呼シーケンスを示す図である。
【図３】図１に示した基地局装置の着呼シーケンスを示す図である。
【図４】図１に示した基地局装置の発呼中着呼シーケンスを示す図である。
【図５】従来の基地局装置の発呼中着呼シーケンスを示す図である。
【符号の説明】
１，２１　ＰＨＳ基地局装置、２，２２　ＰＳ、３，２３　網、４　固定電話機、５　アンテナ、６　無線送受信回路、７，２４　無線制御回路、８，２５　回線Ｉ／Ｆ制御回路、９，２６　全体制御回路、１０　発信元・発信先番号検出回路、１１　発信元・着信先番号検出回路、１２　電話番号比較回路。
【図１】
2004112457.tif 000003
【図２】
2004112457.tif 000004
【図３】
2004112457.tif 000005
【図４】
2004112457.tif 000006
【図５】
2004112457.tif 000007